(57)【特許請求の範囲】
【請求項１】
筐体内にノズル付きホースを収容し、消火時に筐体の消火栓扉を開いて前記ノズル付きホースを引き出して消火する消火栓装置において、
前記消火栓扉は、筐体の正面に配置される正面扉と、筐体上面に配置され該正面扉の開放に連動して上開きする自動解放機構を備えた天井扉からなり、
前記正面扉は、筐体の正面に配置され筐体正面の下部を中心に下開きするとともに、
前記天井扉は、筐体の上面に配置され筐体上面の背後側を中心に上開きする、
ことを特徴とする消火栓装置。
【請求項２】
請求項１記載の消火栓装置に於いて、前記自動開放機構は、閉鎖状態にある前記正面扉に係止して前記天井扉を閉鎖位置に保持するラッチと、前記天井扉を開放方向に付勢すると共に開放時に所定の開放位置に保持するリンク機構と、を備えたことを特徴とする消火栓装置。
【請求項３】
筐体内にノズル付きホースを収容し、消火時に筐体の消火栓扉を開いて前記ノズル付きホースを引き出して消火すると共に、筐体内に消火器を収容し、消火時に筐体の消火器扉を開いて前記消火器を取出して消火する消火栓装置において、
前記消火器扉は、筐体の正面に配置される正面扉と、筐体上面に配置される天井扉からなり、
前記正面扉は、筐体の正面に配置され筐体正面の下部または側部を中心に開くとともに、
前記天井扉は、筐体上面に配置され筐体上面の背後側を中心に上開きし、
前記消火器扉は、前記正面扉又は天井扉のいずれか一方の開放に連動して他方を開放させる自動開放機構を備えたことを特徴とする消火栓装置。
【請求項４】
請求項３記載の消火栓装置に於いて、前記自動開放機構は、閉鎖状態にある一方の扉に係止して他方の扉を閉鎖位置に保持するラッチと、前記他方の扉を開放方向に付勢すると共に開放時に所定の開放位置に保持するリンク機構と、を備えたことを特徴とする消火栓装置。
【発明の詳細な説明】
【０００１】
【発明の属する技術分野】
本発明は、トンネルなどに設置されて車両火災の消火に使用される消火栓装置に関する。
【０００２】
【従来技術】
従来、高速道路や自動車専用道路などのトンネルに設置された消火栓装置としては、例えば図１１のようなものが知られている（特開２００１−９５９４０等）。
【０００３】
この消火栓装置１００は、ノズル１０２の付いたホース１０３が筐体内に内巻きに収容されており、火災時に扉１０１を開きノズル１０２を持ってホース１０３を引き出して消火する。このホース引出しの際に、ホース１０３が必要以上に出てくるのを防ぐため、扉１０１の内側にホースガイド１０４を設け、ホースガイド１０４を通してホース１０３を引き出している。
【０００４】
また消火栓扉１０１の隣には、通常、消火器扉１０５が設けられ、消火器扉１０５を横に開いて内部に収納している消火器を取出して火災を消火することもできる。
【０００５】
【発明が解決しようとする課題】
ところで、近年にあっては、トンネル内に設置する消火栓装置についても、デザインの重視などから小型化の要求が高まってきている。またトンネルにおいては走行の快適性を追求するため、消火栓装置の設置位置をドライバーの目線近くまで下げるようなケースも今後出てくることが予想される。
【０００６】
しかしながら、このように消火栓装置が道路面近くの高さに設置される場合、消火器を取出そうとするとき、人の目線よりかなり近い低い位置に消火器扉があり、消火器扉の取手が見えづらく、また消火器扉を開いて中の消火器を取出す時に天井板が邪魔になり、消火器が取出しにくいという問題がある。
【０００７】
また消火栓側にあっては、消火栓扉を開き、ホースを引き出して消火を行った後に、ホースを筐体内部に収納することになるが、このとき筐体の収納位置が低いことに起因して、ホース収納部が見えず、手探りでホース収納を行うことになるために、ホース収納が確実にできず、収納に手間と時間がかかる問題がある。
【０００８】
本発明は、設置位置が低くなっても消火器の取り出しやホースの収納が容易にできるようにした消火栓装置を提供することを目的とする。
【０００９】
【問題を解決するための手段】
この目的を達成するために本発明は次のように構成する。本発明は、筐体内にノズル付きホースを収容し、消火時に筐体の消火栓扉を開いて前記ノズル付きホースを引き出して消火する消火栓装置において、消火栓扉は、筐体の正面に配置される正面扉と、筐体上面に配置される天井扉からなり、前面扉は、筐体の正面に配置され筐体正面の下部を中心に下開きするとともに、天井扉は、筐体上面に配置され筐体上面の背後側を中心に上開きすることを特徴とする。
【００１０】
ここで、消火栓扉は、正面扉の開放に連動して天井扉を上開きさせる自動開放機構を備える。この自動開放機構は、閉鎖状態にある正面扉に係止して天井扉を閉鎖位置に保持するラッチと、天井扉を開放方向に付勢すると共に開放時に所定の開放位置に保持するリンク機構とを備える。
【００１１】
このように本発明の消火栓装置は、消火栓扉を正面扉と天井扉とに分けて構成しており、正面扉を下開きすると、これに連動して天井扉が自動的に上開きし、天井扉が開くことによって筐体内部のホース収納位置を上からみることができ、筐体がかなり低い位置にあっても、ホースを容易に収納することができる。
【００１２】
また本発明は、筐体内にノズル付きホースを収容し、消火時に筐体の消火栓扉を開いて前記ノズル付きホースを引き出して消火すると共に、筐体内に消火器を収容し、消火時に筐体の消火器扉を開いて前記消火器を取出して消火する消火栓装置において、消火器扉は、筐体の正面に配置される正面扉と、筐体上面に配置される天井扉からなり、前面扉は、筐体の正面に配置され筐体正面の下部または側部を中心に開くとともに、天井扉は、筐体の上面に配置され筐体上面の背後側を中心に上開きすることを特徴とする。
【００１３】
ここで消火器扉は、正面扉又は天井扉のいずれか一方の開放に連動して他方を開放させる自動開放機構を備える。この自動開放機構は、閉鎖状態にある一方の扉に係止して他方の扉を閉鎖位置に保持するラッチと、他方の扉を開放方向に付勢すると共に開放時に所定の開放位置に保持するリンク機構とを備える。
【００１４】
このように本発明の消火栓装置は、消火器扉を正面扉と天井扉とに分けて構成しており、例えば正面扉を下開きすると、これに連動して天井扉が自動的に上開きし、正面扉および天井扉の両方が開くことによって、消火器を取り出すために充分な開口が形成でき、筐体がかなり低い位置にあっても、容易に消火器を取出すことができる。
【００１５】
【発明の実施の形態】
図１は本発明による消火栓装置の正面図であり、図２にその平面図を示す。図１において、本発明の消火栓装置１は架台２ａの上に筐体２を乗せており、筐体２のサイズは高さ方向の小型化を図るため、例えば架台２ａを含む高さが約６５ｃｍで、横幅が例えば２．２６ｍ程度としており、従来の消火栓装置に比べるとかなり高さが低い横長の形状を持っている。
【００１６】
消火栓装置１の筐体２には消火栓扉が設けられており、本発明にあっては消火栓扉を消火栓正面扉３と消火栓天井扉４で構成している。消火栓正面扉３は筐体２の正面に配置され、下部を中心に下開きする扉構造を持っている。これに対し消火栓天井扉４は、図２の平面図から明らかなように筐体２の上面に配置され、背後側を中心に上開きする扉構造を備えている。
【００１７】
即ち消火栓天井扉４は、背後側の両側に設けたヒンジ４ａを中心に上開きに回動する。この消火栓天井扉４の内部にはラッチ４ｂが設けられており、消火栓正面扉３の閉鎖状態でラッチ４ｂが係合し、消火栓天井扉４を閉鎖状態に保持している。
【００１８】
また、消火栓天井扉４の内部両側にはダンパ４ｃが設けられている。ダンパ４ｃは消火栓天井扉４を開放方向に付勢すると共に開放時に所定の開放位置に保持するリンク機構として設けられている。
【００１９】
再び図１を参照するに、消火栓正面扉３には開閉ハンドル３ａが設けられ、開閉ハンドル３ａを引くことで消火栓正面扉３を下側を回転軸に前方に開放することができ、これに連動して消火栓天井扉４が上方に自動的に開放する。この実施形態において消火栓正面扉３の開放位置は、後の説明で明らかにするように９０°より手前の所定位置となる第１位置と９０°開いた第２位置との２段階の開放位置を持っている。
【００２０】
また本発明の消火栓装置１の左側には消火器扉が設けられている。消火器扉は消火器正面扉５と消火器天井扉６で構成される。消火器正面扉５は扉下部または扉側部を中心に開放する扉構造を持っている。
【００２１】
消火器天井扉６は図２の平面図に示すように筐体２の上面に配置され、背後側のヒンジ６ａを中心に上開きする扉構造を備える。また消火器天井扉６には、消火器正面扉５の開放に連動して自動的に開放させる自動開放機構として、閉鎖状態にある消火器正面扉５に係止して消火器天井扉６を閉鎖位置に保持するラッチ６ｂと、消火器天井扉６を開放方向に付勢すると共に開放時に所定の位置に保持するリンク機構として動作するダンパ６ｃを設けている。
【００２２】
再び図１を参照するに、消火器正面扉５には開閉ハンドル５ａが設けられ、開閉ハンドル５ａを引くことで、例えば消火器正面扉５は左側を回転軸に横開きに開放することができる。この消火器正面扉５の開放に伴い、消火器天井扉６が連動して斜め上方に開放し、消火器天井扉６と消火器正面扉５の上向きの開口部から内部の消火器を取り出すことができる。
【００２３】
消火器正面扉５と消火栓正面扉３の間には、手動発信機７ａ、赤色表示灯７ｂ及び応答ランプ７ｃが設けられている。ここで手動発信機７ａは、斜め上向きの傾斜面に設けられている。トンネル内での火災事故の際には、手動発信機７ａのボタン操作により監視室などに非常通報ができ、非常通報の確認が行われると応答ランプ７ｃが点滅する。赤色表示灯７ｂは消火栓装置１の設置位置を示している。
【００２４】
図３は図１，図２に示した本発明の消火栓装置１のトンネル内における設置状態の例である。この設置例にあっては、トンネル側壁８に沿った通路９ａに対し、２０〜３０ｃｍ程度の段差を持って路面９ｂが施工されている。この通路９ａ上には本発明の消火栓装置１が設置されている。
【００２５】
このように本発明の消火栓装置１は、その高さが人の膝付近とかなり低くなるが、例えば消火器を取り出す際には図１，図２に示した消火器正面扉５と消火器天井扉６の両方が開くことから、容易に消火器を取り出すことができる。また消火栓正面扉３の開放に連動して消火栓天井扉４も開いているため、消火後にホースを筐体２内に収納する際の作業も容易にできる。
【００２６】
図４は本発明の消火栓装置１における消火器扉の開放状態の説明図である。図４において、消火栓装置１に収納している消火器を取り出す際には、消火器正面扉５に設けている開閉ハンドル５ａを引くと、この実施形態にあっては消火器正面扉５は側部を中心に横に開くことができる。
【００２７】
この消火器正面扉５の開放に伴い、ラッチ６ｂによる消火器正面扉５に対する係止が解除され、消火器天井扉６がダンパ６ｃの力により図示のように自動的に上方に開口する。このため、消火器正面扉５による開口部及び消火器天井扉６による開口部から内部の消火器を取り出すことができ、筐体２の高さが約６５ｃｍとかなり低くとも容易に消火器を取り出すことができる。
【００２８】
また消火栓正面扉３についても、その開閉ハンドル３ａを引くことにより、消火栓正面扉３'  に示す９０°より手前の位置に開く。この消火栓正面扉３の開放に連動して図２のラッチ４ｂによる保持が解除され、ダンパ４ｃによって消火栓天井扉４'のように自動的に開放する。
【００２９】
本発明の実施形態にあっては、消火栓正面扉３は消火栓正面扉３'ように９０°より少ない第１位置に開き、これによって扉が開いたときのホースの取出し位置を、可能な限り人の持つホースの高さの位置に近づけるようにしている。また消火後にホースを収納する際には、消火栓正面扉３'の位置から９０°開いた消火栓扉３''の位置に開放することができる。
【００３０】
図５は本発明における消火栓装置１の消火器扉の開放状態の他の実施形態の説明図である。この実施形態にあっては、消火器正面扉５は下部を中心に下開きするようにしている。このため消火器正面扉５は、扉下部で筐体２側にヒンジにより回転自在に装着されており、ダンパ５ｂにより開放位置を保持できるようにしている。消火器正面扉５に対する消火器天井扉６の配置構成は、図４の実施形態と同じである。
【００３１】
即ち図５の実施形態にあっても、消火器正面扉５に設けている開閉ハンドル５ａを引くことにより、消火器正面扉５をダンパ５ｂで決まる上向きの位置に開くことができる。この消火器正面扉５の開放に連動して、ラッチ６ｂによる消火器天井扉６の保持が解除され、ダンパ６ｃにより消火器天井扉６は図示のように上方に開放する。
【００３２】
このように消火器正面扉５及び消火器天井扉６が共に上向きに開放することで、筐体２の高さが７０ｃｍとかなり低くとも十分な開口部を上方に開き、内部の消火器を容易に取り出すことができる。なお、消火栓正面扉３及び消火栓天井扉４の開放動作は図４の実施形態と同じである。
【００３３】
図６は図１の消火栓正面扉３を外して内部構造を示した説明図である。消火栓正面扉の内部には支持パイプ１０とホース収納枠１１により形成されたホース収納部が設けられており、この中に保形タイプのホース１２を内巻き状態で収納している。
【００３４】
図７は図６のホース収納部を取り出している。このホース収納部はＵ字型の支持パイプ１０の上部を筐体２内に固定しており、支持パイプ１０の側部から上下に開放した箱型にホース収納枠１１を取り付けており、ホース収納枠１１の中に図６のように保形タイプのホース１２を内巻き状態で収納している。
【００３５】
再び図６を参照するに、ホース収納部の右側には給水栓１３ａを備えた給水弁１３が設けられ、給水栓１３ａにホースを接続して給水弁１３のハンドルを回すことで給水ができる。給水弁１３の背後には後の説明で明らかにするように給水接続口が設けられ、下部から立ち上げられた給水配管が接続され、消火ポンプ設備からの加圧消火用水を供給することができる。
【００３６】
給水弁１３に続いては消火栓弁１４が設けられる。消火栓弁１４は後の説明で明らかにする扉内側の消火栓弁開放レバーとワイヤー接続されており、レバー操作に伴って消火栓弁１４を開き、ホース１２側に加圧消火用水を供給できる。消火栓弁１４に続いては自動調圧弁１５が設けられる。自動調圧弁１５の出口側には安全弁１６が設けられ、所定圧を超えた場合に安全弁１６が作動して排水するようにしている。
【００３７】
安全弁１６に続く配管路は、左側のホース収納枠１１に内巻き状態で収納されたホースの端部が接続される。またホース収納枠１１の右側には、後の説明で明らかにする消火栓正面扉３を開いた際の衝撃吸収のための緩衝用ダンパ１８が設けられている。
【００３８】
緩衝用ダンパ１８の右側の筐体内にはポンプ起動スイッチ１７が設けられており、手動操作によってポンプ起動を可能としている。筐体２の左側に配置した消火器正面扉５の内側には２本の消火器１９が収納されている。
【００３９】
図８は図１の消火栓装置１の消火栓正面扉３及び消火栓天井扉４を開いた状態での内部構造の平面図である。なお天井面側については透視状態で内部構造を示している。
【００４０】
消火栓正面扉３と筐体２との間には緩衝用ダンパ１８が設けられ、消火栓正面扉３を滑らかに開放できるようにしている。消火栓正面扉３は下部を中心とした回転軸を備えたラッチ付ヒンジ２２で支持されている。
【００４１】
このラッチ付ヒンジ２２は、消火栓正面扉３を開閉ハンドルの操作で最初に開いた際には、図９の側面図のように９０°開放した消火栓正面扉３''  の第２位置に対し、それより手前の斜め上向きの消火栓正面扉３'で示す第１位置に開放するラッチ機構を備えている。また図９の９０°手前の最初の開放位置となる消火栓正面扉３'の位置でラッチ付ヒンジ２２のラッチを解除すると、９０°開いた消火栓天井扉３''の第２位置に開くことができる。
【００４２】
消火栓天井扉４の内側の右側部分には消火栓弁開閉レバー２３が設けられている。消火栓弁開閉レバー２３を手前に操作すると、ワイヤー連結された図６の消火栓弁１４が開放位置に切り替わる。このときレバー下部に設けているポンプ起動用連動スイッチ（図示せず）がオンし、消火ポンプ設備のポンプ起動を行うことができる。
【００４３】
ノズル２１からの放水を停止したい場合には、消火栓弁開閉レバー２３を図示の初期位置に戻せばよく、これによりワイヤー連結されている消火栓弁１４が閉鎖位置に切り替えられる。同時に、初期位置に戻したレバーの下部に設けているポンプ起動用連動スイッチがオフする。消火ポンプの停止は、消火ポンプ設備に設けているポンプ制御盤のスイッチ操作で行う。
【００４４】
筐体２のホース収納枠１１の中に内巻き状態で収納した保形タイプのホース１２は、Ｕ字型に形成した支持パイプ１０の間を通って扉側に引き出されており、更に消火栓正面扉の内側に設けた逆Ｕ字型のホースガイド２０を通してノズルへの接続が行われている。
【００４５】
ホースガイド２０は図９の消火栓正面扉３'の開放位置における床面からの高さＨが９０°開いた消火栓正面扉４''の第２位置より高くして、下のノズル付きホースを消火栓装置１から引き出す際のホースの持っている高さとの差を最小限に抑えるようにしている。
【００４６】
次に本発明の消火栓装置を用いたトンネル内での火災事故に対する消火活動を説明すると、次のようになる。
【００４７】
トンネル内には例えば５０ｍおきに本発明の消火栓装置１が設置されている。トンネル内での火災事故が発生した際には、近くに設置されている消火栓装置１に行き、図１のように消火栓正面扉３に設けている開閉ハンドル３ａを持って手前に扉を引く。
【００４８】
このとき必要があれば手動発信機７ａの押しボタンを押し、火災事故の発生を防災センターに通知する。防災センター側で確認が行われると応答ランプ７ｃが点滅状態となり、通報が確認できる。
【００４９】
開閉ハンドル３ａを持って消火栓正面扉３を開くと、消火栓正面扉３は図８のように９０°開いた位置より手前の第１位置に停止し、ホースガイド２０の高さを人が引き出すホースの高さに合わせる。この消火栓正面扉３の開放に伴って、例えば図４または図５のように消火栓天井扉４が自動的に上方に開放する。
【００５０】
この状態で図８のように消火栓正面扉３の内側に装着されているノズル２１を取り出し、ホース１２を火災現場に向けて引き出す。このとき勢いよくホース１２を引き出しても、消火栓正面扉３の内側に設けたホースガイド２０を通してホースを引き出しているため必要以上にホースが内巻き状態から引き出されてしまうことが防止できる。
【００５１】
またノズル２１を持ってホースを引き出す際には、図８，図９のように消火栓正面扉３の内側に設けている消火栓弁開閉レバー２３を手前に操作する。これによって消火ポンプ連動スイッチ（図示せず）がオンし、消火ポンプ設備におけるポンプ起動により加圧消火用水の供給が開始される。
【００５２】
同時にワイヤーにより消火栓弁１４が開き、これによって取扱者は、手に持ったノズル２１から放水しながら火災現場に向けてホースを引き出して消火を行う。
【００５３】
消火が完了して鎮火したならば、扉内に設けている消火栓弁開閉レバー２３を元に戻し、ポンプ室のポンプ制御盤の停止スイッチを押すことにより消火ポンプを停止して放水を停止できる。
【００５４】
消火が済んだホース１２は、監視員が筐体２内のホース収納枠１１の中に内巻き状態で戻す。このとき図９の消火栓正面扉３'のように第１位置に開いている状態で、そのラッチ付ヒンジ２２のラッチを解除することで、９０°開いた第２位置に消火栓正面扉３''のように開くことができる。
【００５５】
このように９０°開いた消火栓正面扉３''の第２位置にすることで、筐体２内のホース収納枠１１の中に支持パイプ１０による開口部を通してホース１２を内巻き状態に収納する巻き戻し作業が容易になる。
【００５６】
また、消火栓正面扉３の開放に連動して消火栓天井扉４が例えばθ＝６０°といった斜め上方に開放しているため、筐体２の高さが約６５cmとかなり低くとも、ホース収納作業の際に筐体２の内部のホース収納枠１１を斜め上方から容易に見ることができ、ホースの巻き戻し作業をホースの収納状態を見ながら確実且つ容易に行うことができる。
【００５７】
一方、車両火災の際に消火器を使用したい場合には、図１の消火栓装置１の消火器正面扉５に設けている開閉ハンドル５aを引くことにより、例えば図４のように消火栓正面扉５を開く。この消火栓正面扉５の開放に連動して、ラッチ６bによる解除でダンパ６cにより消火器天井扉６が自動的に上向きに開放する。
【００５８】
このような消火器正面扉５及び消火器天井扉６の開放により、筐体２の高さが７０cm程度とかなり低くとも十分な開口部が与えられ、内部の消火器を容易に取り出すことができる。
【００５９】
図１０は本発明における消火栓装置の他の実施形態である。この消火栓装置１にあっては、その横に自動弁格納ユニット２４を一体に並べて形成している。消火栓装置１側は、図１〜図９に示したと同じ構造を持っている。このように本発明の消火栓装置は、他のユニットと組み合わせてトンネル内に配置されることもある。
【００６０】
なお上記の実施形態にあっては、消火器扉を構成する消火器正面扉５と消火器天井扉６について、消火器正面扉５側を手動操作により開放すると、これに連動して消火器天井扉６が自動開放される場合を例にとっているが、逆に消火器天井扉６側を開閉ハンドルにより開くと、これに連動して消火器正面扉５側が自動開放するように構成しても良い。
【００６１】
また上記の実施形態は消火栓装置１の消火栓扉と消火器扉の両方について、正面扉と天井扉に分けて構成し、一方の扉開放に連動して他方の扉を自動開放させる場合を例にとっているが、消火器扉または消火栓扉についてのみ本発明を適用した消火栓装置としてもよいことはもちろんである。
【００６２】
更に本発明は筐体の高さが約６５ｃｍと比較的低い消火栓装置を例にとるものであったが、これより高い消火栓装置についても同様に適用してもよいことはもちろんである。
【００６３】
【発明の効果】
以上説明してきたように本発明によれば、消火栓扉を正面扉と天井扉に分けて構成し、正面扉を手動操作で下開きすると、これに連動して天井扉が自動的に上開きし、天井扉が開くことによって筐体内部のホース収納位置を上から見ることができ、筐体がかなり低い位置にあっても、ホースを容易に収納でき、消火後におけるホース収納作業を短時間で効率よく終わらせることができる。
【００６４】
また本発明にあっては、消火器扉を正面扉と天井扉に分けて構成しており、例えば正面扉を下開きすると、これに連動して天井扉が自動的に上開きし、正面扉及び天井扉の両方が開くことによって消火器を取り出すための十分な開口が形成でき、筐体がかなり低い位置にあっても、容易に消火器を取り出して迅速に消火活動を行うことができる。
【図面の簡単な説明】
【図１】本発明による消火栓装置の正面図
【図２】本発明による消火栓装置の平面図
【図３】本発明による消火栓装置のトンネル内の設置例の説明図
【図４】消火器正面扉を横開きとした本発明による消火栓装置の扉開放状態の説明図
【図５】消火器正面扉を下開きとした本発明による消火栓装置の扉開放状態の説明図
【図６】図１の消火栓正面扉を外した状態での内部構造の説明図
【図７】筐体内のホース収容部を取出した説明図
【図８】図１の消火栓装置の扉を開いた状態での内部構造の平面図
【図９】図８の側面図
【図１０】本発明による消火栓装置の他の実施形態の正面図
【図１１】従来の消火栓装置の説明図
【符号の説明】
１：消火栓装置
２：筐体
２ａ：架台
３：消火栓正面扉
３ａ，５ａ：開閉ハンドル
４：消火栓天井扉
４ａ，５ｂ，６ａ：ヒンジ
４ｂ，６ｂ：ラッチ
４ｃ，６ｃ：ダンパ
７ａ：手動発信機
７ｂ：赤色表示灯
７ｃ：応答ランプ
８：トンネル側壁
９ａ：通路
９ｂ：路面
１０：支持パイプ
１１：ホース収納枠
１２：ホース
１３：給水弁
１４：消火栓弁
１５：自動調圧弁
１６：安全弁
１７：ポンプ起動スイッチ
１８：緩衝用ダンパ
１９：消火器
２０：ホースガイド
２１：ノズル
２２：ラッチ付ヒンジ
２３：消火栓弁開閉レバー
２４：自動弁格納ユニット
【図１】
0003844205.tif 000002
【図２】
0003844205.tif 000003
【図３】
0003844205.tif 000004
【図４】
0003844205.tif 000005
【図５】
0003844205.tif 000006
【図６】
0003844205.tif 000007
【図７】
0003844205.tif 000008
【図８】
0003844205.tif 000009
【図９】
0003844205.tif 000010
【図１０】
0003844205.tif 000011
【図１１】
0003844205.tif 000012